(57)【要約】流動流体と共に系統で使用するための接続部品であって、別の接続部品にある適合メス形部内への軸方向挿入時に封止装着されると共に保持される一体のオス形部（１）を有しており、該オス形部をロックするために前記メス形部は内部に少なくとも１つの環状溝又は段部を有している。前記オス形部（１）は、前記環状溝又は段部と係合するため、一体のロック用舌状部（２，３）を有している。該ロック用舌状部の自由端は、前記オス形部（１）の前記メス形部内への挿入の方向とは反対を向いており、また、該ロック用舌状部の全ては、斜め外方に延びるか、或いは外方へ突出する屈曲部を有している。オス形部又はメス形部は、少なくとも１つの封止要素を備えることができる。
2006504913.tif 000002
【特許請求の範囲】
【請求項１】
流動流体と共に系統で使用するための接続部品であって、別の接続部品にある適合するメス形部内への軸方向挿入時に封止装着されると共に保持される一体のオス形部（１）を有しており、該オス形部をロックするために前記メス形部は内部に少なくとも１つの環状溝又は段部を有している接続部品であって、
前記オス形部（１）は、前記環状溝又は段部と係合するため、一体のロック用舌状部（２，３）を有しており、該ロック用舌状部の自由端は、前記オス形部（１）の前記メス形部内への挿入の方向とは反対を向いており、該ロック用舌状部の全ては、斜め外方に延びるか、或いは外方へ突出する屈曲部を有している、ことを特徴としている接続部品。
【請求項２】
前記ロック用舌状部（２，３）の全ては、前記オス形部（１）の端部（４）と一体であり、この端部は、２つの平面的な架橋部（５）を介して前記オス形部の残部に接続されており、前記２つの架橋部は、各架橋部から外方へ半径方向に距離を置いて位置している２つのロック用舌状部（２）の内側と平行であり、他のロック用舌状部（３）は、円周方向において前記２つのロック用舌状部（２）の間に位置していて、２部品の外型流込み型の使用を可能とした、請求項１に記載の接続部品。
【請求項３】
前記ロック用舌状部（２，３）の全てが前記オス形部の自由端部に位置していて、それにより、スリーブ工具が前記端部の上に挿入されて、前記オス形部を前記メス形部から離脱させるため、前記ロック用舌状部を圧縮するようにした、請求項１に記載の接続部品。
【発明の詳細な説明】
【技術分野】
【０００１】
本発明は、流動流体の系統において使用するための接続部品に関し、該接続部品は、別の接続部品にある適合するメス形部内への軸方向挿入時に封止装着されると共に保持される一体のオス形部から構成されていて、オス形部又はメス形部は、少なくとも１つの封止要素を備える。
【背景技術】
【０００２】
オス形部及びメス形部の系統同士をロックするための既知の解決策において、ロック要素はしばしば別個のリングから構成される。このリングは、オス形部又はメス形部のどちらか一方に配置されるのに対し、他方はロック用の溝を備える。該リングは、オス形部がメス形部に挿入されるときに、それがロック用の溝の所定位置に滑入する前に、しばしば圧縮又は拡張される。
【０００３】
例えば、大型車両における空気ブレーキ配管において、パイプのためのニップルを有する接続部品が使用されており、該接続部品は、この接続部品を別の接続部品にあるメス形部の開口に封止方式で接続するためにオス形部を備えている。ニップルは外側に円周方向の溝を有していて、その上にパイプが押し込まれ封止方式で保持される。接続部品は、ニップルとは反対側に、封止要素及びロックリングを備えたオス形部を有することができ、該ロックリングが、ロックリングのための内面溝を有するメス形部内に接続部品を保持する。普通のタイプのロックリングは割りリングであり、これはメス形部内への挿入を容易にするために面取りされた外縁を場合により備えている。封止要素として一般に使われているのはＯ−リングであり、これは、オス形部の上に引っ張られてメス形部にあるリングのための溝内に入れられるために伸ばされるか、或いはメス形部内に挿入されてそこにある内面溝内に入れられる。
【０００４】
従って、ロックリングは、オス形部及びメス形部が互いに接続される前にオス形部上に取り付けられるか或いはメス形部内に取り付けられる別個の部品である。
【０００５】
この種の接続部品は、長い間、金属、特に黄銅から製造されてきており、製造方法は曲がり角にきていた。価格関連の理由から、材料コストを減じると共に表面処理を避けるために、プラスチックの射出成形により接続部品を製造することが望ましい。更に、別個のロックリングを回避することが望ましい。
【０００６】
合理的な成形の必要条件の１つは、成形後に通り抜け通路を形成する中子を含め、使用される流込み型部品が多数の接続部品のために使用されてもよく、従って、接続部品が流込み型部品を壊すことなく該流込み型部品から取り外しできる必要のあることである。接続部品は、除去自在の中子及び２部品の外型流込み型の使用によって、純粋に回転要素（rotational element）として例えば成形しうる。
【発明の開示】
【０００７】
本発明により、オス形部を有する接続部品が提供されており、このオス形部は、別個のロックリングの使用を回避するような方法で、一体のロック用舌状部を有する接続部品を成形することを可能にしており、該ロック用舌状部の自由端は、メス形部内へのオス形部の挿入の方向とは反対を向いている。該ロック用舌状部の各々は、メス形部にある内面溝又は段部に係合するため、自由端のところに外方へ指向した屈曲部を有している。
【０００８】
別個のロックリングの製造及び組付けを必要としないことにより、製造は合理的に行われる。その上、ロックリングが逸失もしくは紛失したり、或いは不正確に設置されたりする危険が回避される。
【０００９】
負荷がかかっている間、オス形部が一要素となっている系統の内部圧力により、ロック用舌状部は、長手方向への加圧力を受けるであろう。
【００１０】
オス形部を備える接続部品を成形するために、２つ以上の外型流込み型部品及び中子が使用されうる。外型流込み型部品は、中子に適合し、従って、オス形部にある２つ以上のロック用舌状部を区切るリブ付き構造を有している。流込み型部品が成形されたオス形部から取り外されたときに、ロック用舌状部を区切る開口がオス形部に形成されている。
【００１１】
上述したように開口により形成されたロック用舌状部は外型流込み型部品に向かい方向付けられている必要がある。２部品の外型流込み型の使用により、ロック用舌状部は、オス形部の円周の２つの区域に形成することができる。これら区域間のロック用舌状部は、２つの平面的な架橋部を介してオス形部の残部に接続されることにより形成してよく、該２つの架橋部は、各架橋部から外方へ半径方向に距離を置いている各ロック用舌状部の内側と概して平行である。
【００１２】
本発明による接続部品は、系統の他の部品への種々の形式の移行部を有しうる。オス形部とは反対側の接続部品の端部は、例えば、雄ねじを備えたスリーブと一体であるか或いは該スリーブの中に装着してもよく、それはパイプを装着するためのニップルとして形成してもよく、それは別のメス形部に挿入するための対応のオス形部として形成してもよく、また、接続部品は、３つのメス形部に挿入するための、本発明による３つのオス形部を備えたＴ継手を形成してもよい。接続部品のこの端部の設計に関しては、流動が可能にされているべきであることを除いて、何ら制限は存在しない。
【００１３】
本発明は、添付図面を参照して、実施形態の一例を用いて以下に更に説明されるであろう。
【発明を実施するための最良の形態】
【００１４】
図示の実施形態において、本発明による接続部品は、オス形部１とは反対の端部に、パイプを装着するための突起部もしくはニップル６を有している。既述のように、接続部品のこの端部はその他の種々の他の方法で設計しうる。
【００１５】
本発明による接続部品の図示実施形態は、適合するメス形部に挿入するためのオス形部１を備えていて、該オス形部１をメス形部内にロックする。かかるロックを可能にするため、オス形部１は、メス形部内へのオス形部１の挿入の方向とは逆に向いているロック用舌状部２，３を有していて、メス形部が有すると考えられる対応の溝もしくは段部に前記ロック用舌状部２，３が係合する。
【００１６】
オス形部１はまた、メス形部の内部にある適合する表面に当接するため、封止要素用の溝１０も有している。
【００１７】
更に、図示の実施形態において、オス形部１はフランジ８を有しており、該フランジは、接続部品をメス形部の中心に位置決めするため、メス形部にある適合する部分と協働することができる。
【００１８】
オス形部１にある肩部９は、ニップル６の上に嵌め込まれたパイプのためのストッパ面を形成する。このニップル６は、該パイプを保持するための円周方向のリブ７を備えて示されている。
【００１９】
接続部品の図示実施形態は、２部分の外型(external)流込み型、即ち、互いに接離するよう半径方向に移動しうる２つの金型部品を備えた流込み型の使用により成形してもよい。オス形部１は４つのロック用舌状部を有していて、２つのロック用舌状部２は、図１から明らかであるように、リング４の幅広部分を介して各架橋部５に接続されており、２つのロック用舌状部３は、図２から明らかであるように、リング４の各幅狭部分から直接に突き出ている。架橋部５は、平面的であると共に相互に平行であり、図１における切断面に対して垂直且つ図２における切断面に対して平行な金型部品の運動の方向を決定する。
【００２０】
図示の実施形態において、各ロック用舌状部２，３は外向きに湾曲して示されている。或いは、各ロック用舌状部２，３は斜め外方に延びていてよい。
【００２１】
図２及び図３から明らかであるように、流動通路１１は、成形もしくは鋳造後に該通路から金型中子を抜き出せるように設計されている。図３から最も明らかであるように、一端における通路の断面は、リング４の幅広部分及び幅狭部分のため、ほぼ楕円になっている。
【００２２】
最も重要なのは、オス形部１がメス形部への挿入の方向と反対に向いている一体のロック用舌状部２，３を有していることであり、それによりロック用舌状部２，３には系統における流体の圧力のため加圧力が負荷される。接続部品は、４つよりも多いロック用舌状部２，３を具備し形成されていてもよく、また、例えばいくつかの方向に放射状に移動されうる、２つより多い外型(external)流込み型を使用することにより、成形可能である。
【００２３】
本発明による接続部品は、金属及びプラスチックの双方から成形することができる。コストを検討するとプラスチックが好ましい。
【００２４】
基本的には、流動流体はどんな液体又は気体でもよい。
【図面の簡単な説明】
【００２５】
【図１】本発明による接続部品の軸方向断面を示している。
【図２】この最初の軸方向断面に対して９０°での本発明による同じ接続部品の別の軸方向断面を示している。
【図３】オス形部が位置している端部に向かって見た接続部品の端面図である。
【図１】
2006504913.tif 000003
【図２】
2006504913.tif 000004
【図３】
2006504913.tif 000005
【手続補正書】
【提出日】平成17年7月11日(2005.7.11)
【手続補正１】
【補正対象書類名】特許請求の範囲
【補正対象項目名】全文
【補正方法】変更
【補正の内容】
【特許請求の範囲】
【請求項１】
流動流体と共に系統で使用するための接続部品であって、別の接続部品にある適合するメス形部内への軸方向挿入時に封止装着されると共に保持される一体のオス形部（１）を有しており、該オス形部をロックするために前記メス形部は内部に少なくとも１つの環状溝又は段部を有している接続部品であって、
前記オス形部（１）は、前記環状溝又は段部と係合するため、一体のロック用舌状部（２，３）を有しており、該ロック用舌状部の自由端は、前記オス形部（１）の前記メス形部内への挿入の方向とは反対を向いており、該ロック用舌状部の全ては、斜め外方に延びるか、或いは外方へ突出する屈曲部を有しており、前記ロック用舌状部（２，３）の全ては、前記オス形部（１）の端部（４）と一体であり、この端部は、２つの平面的な架橋部（５）を介して前記オス形部の残部に接続されており、前記２つの架橋部は、各架橋部から外方へ半径方向に距離を置いて位置している２つのロック用舌状部（２）の内側と平行であり、他のロック用舌状部（３）は、円周方向において前記２つのロック用舌状部（２）の間に位置していて、２部品の外型流込み型の使用を可能としたことを特徴とする接続部品。
【国際調査報告】
2006504913.tif 000006
2006504913.tif 000007
2006504913.tif 000008